(57)【要約】      （修正有）【課題】ＩＣタグを内蔵するとともに、印刷面が平坦で多数重ね合わせた状態でも部分的な膨らみが無く、総厚も小さく取り扱い性に優れた印刷面付平坦タグを提供する。【解決手段】印刷面付平坦タグ１は、一面を印刷面とし、他面にＩＣタグ１１用の矩形状の収納凹部５及び貼り付け面４ｃを具備する矩形状板状素材の２枚接合構造からなる基材２と、ＩＣチップ７の突出部用の埋没穴を穿設した収納凹部５より僅かに小さい外形寸法の矩形状のタグ用基材６と、フィルム状アンテナ８及び突出部付のＩＣチップ７を有する矩形状のＩＣタグ素子９とを具備し、ＩＣタグ素子９をタグ用基材６に貼り付けて、収納凹部５に貼り付けられて基材２の他面全体を平坦化させるＩＣタグ１１と、基材２の他面全体に貼り付けた印刷面付の矩形状の被覆基材を有する。【選択図】図７
0003139231.tif 000002
【実用新案登録請求の範囲】
【請求項１】
一面を文字印刷用の印刷面とし、他面にＩＣタグ用の収納凹部及び貼り付け面を具備する２枚接合構造としたことを特徴とするＩＣタグ保護用の基材。
【請求項２】
一面を文字印刷用の印刷面とし、他面にＩＣタグ用の矩形状の収納凹部及びこの収納凹部の周りの貼り付け面を具備する矩形状板状素材の２枚接合構造としたことを特徴とするＩＣタグ保護用の基材。
【請求項３】
一面を文字印刷用の印刷面とし、他面にＩＣタグ用の収納凹部及び貼り付け面を具備する２枚接合構造の基材と、
ＩＣチップの突出部用の埋没穴を穿設した前記収納凹部より僅かに小さい外形寸法のタグ用基材と、フィルム状アンテナ及び突出部付のＩＣチップを有するＩＣタグ素子とを具備し、ＩＣチップの突出部を前記タグ用基材の埋没穴に埋没させる状態でＩＣタグ素子をタグ用基材に貼り付けて全体の厚さを基材の収納凹部の深さと同等としたＩＣタグと、
前記基材の他面全体に貼り付ける印刷面付の被覆基材と、
を有することを特徴とする印刷面付平坦タグ用の組み立て部品。
【請求項４】
一面を文字印刷用の印刷面とし、他面にＩＣタグ用の矩形状の収納凹部及びこの収納凹部の周りの貼り付け面を具備する矩形状板状素材の２枚接合構造からなる基材と、
ＩＣチップの突出部用の埋没穴を穿設した前記収納凹部より僅かに小さい外形寸法の矩形状のタグ用基材と、フィルム状アンテナ及び突出部付のＩＣチップを有する矩形状のＩＣタグ素子とを具備し、ＩＣチップの突出部を前記タグ用基材の埋没穴に埋没させる状態でＩＣタグ素子をタグ用基材に貼り付けて全体の厚さを基材の収納凹部の深さと同等としたＩＣタグと、
前記基材の他面全体に貼り付ける印刷面付の矩形状の被覆基材と、
を有することを特徴とする印刷面付平坦タグ用の組み立て部品。
【請求項５】
一面を文字印刷用の印刷面とし、他面にＩＣタグ用の収納凹部及び貼り付け面を具備する２枚接合構造の基材と、
ＩＣチップの突出部用の埋没穴を穿設した前記収納凹部より僅かに小さい外形寸法のタグ用基材と、フィルム状アンテナ及び突出部付のＩＣチップを有するＩＣタグ素子とを具備し、ＩＣチップの突出部を前記タグ用基材の埋没穴に埋没させる状態でＩＣタグ素子をタグ用基材に貼り付けて全体の厚さを基材の収納凹部の深さと同等とするとともに、前記収納凹部に貼り付けられてこの基材の他面全体を平坦化させるＩＣタグと、
を有することを特徴とする印刷面付平坦タグ。
【請求項６】
一面を文字印刷用の印刷面とし、他面にＩＣタグ用の矩形状の収納凹部及びこの収納凹部の周りの貼り付け面を具備する矩形状板状素材の２枚接合構造からなる基材と、
ＩＣチップの突出部用の埋没穴を穿設した前記収納凹部より僅かに小さい外形寸法の矩形状のタグ用基材と、フィルム状アンテナ及び突出部付のＩＣチップを有する矩形状のＩＣタグ素子とを具備し、ＩＣチップの突出部を前記タグ用基材の埋没穴に埋没させる状態でＩＣタグ素子をタグ用基材に貼り付けて全体の厚さを基材の収納凹部の深さと同等とするとともに、前記収納凹部に貼り付けられてこの基材の他面全体を平坦化させるＩＣタグと、
を有することを特徴とする印刷面付平坦タグ。
【請求項７】
一面を文字印刷用の印刷面とし、他面にＩＣタグ用の収納凹部及び貼り付け面を具備する２枚接合構造の基材と、
ＩＣチップの突出部用の埋没穴を穿設した前記収納凹部より僅かに小さい外形寸法のタグ用基材と、フィルム状アンテナ及び突出部付のＩＣチップを有するＩＣタグ素子とを具備し、ＩＣチップの突出部を前記タグ用基材の埋没穴に埋没させる状態でＩＣタグ素子をタグ用基材に貼り付けて全体の厚さを基材の収納凹部の深さと同等とするとともに、前記収納凹部に貼り付けられてこの基材の他面全体を平坦化させるＩＣタグと、
ＩＣタグを貼り付けた基材の他面全体に貼り付けた印刷面付の被覆基材と、
を有することを特徴とする印刷面付平坦タグ。
【請求項８】
一面を文字印刷用の印刷面とし、他面にＩＣタグ用の矩形状の収納凹部及びこの収納凹部の周りの貼り付け面を具備する矩形状板状素材の２枚接合構造からなる基材と、
ＩＣチップの突出部用の埋没穴を穿設した前記収納凹部より僅かに小さい外形寸法の矩形状のタグ用基材と、フィルム状アンテナ及び突出部付のＩＣチップを有する矩形状のＩＣタグ素子とを具備し、ＩＣチップの突出部を前記タグ用基材の埋没穴に埋没させる状態でＩＣタグ素子をタグ用基材に貼り付けて全体の厚さを基材の収納凹部の深さと同等とするとともに、前記収納凹部に貼り付けられてこの基材の他面全体を平坦化させるＩＣタグと、
前記基材の他面全体に貼り付けた印刷面付の矩形状の被覆基材と、
を有することを特徴とする印刷面付平坦タグ。
【考案の詳細な説明】
【技術分野】
【０００１】
本考案は、新規なＩＣタグ保護用の基材、印刷面付平坦タグ用の組み立て部品、印刷面付平坦タグに関するものである。
【背景技術】
【０００２】
近年、物流現場等においては、印刷ラベルやバーコードラベルに替えてＩＣタグやＩＣタグ封止体が物品識別用に多用されるようになっている。
【０００３】
ＩＣタグは、公知のようにＩＣチップと平面アンテナとを樹脂フィルムにより封止して、タグ状に形成した小型の無線通信端末素子であり、また、ＩＣタグ封止体は、ＩＣタグの両面に文字等を印刷可能な台紙等を貼り付けてＩＣタグを内蔵状態とするとともに、台紙の表面に物品の取り扱い情報等からなる物品仕様情報等を印刷したものである。
【０００４】
ところが、従来のＩＣタグ封止体の場合、単にＩＣタグの両面を台紙により覆うだけの構成であるため、ＩＣタグを構成するＩＣチップの小寸法の突出部に邪魔されてＩＣタグ封止体の一面の一部が完全に平坦とはならずわずかに膨出してしまう。
【０００５】
この結果、ＩＣタグ封止体を多数重ね合わせてプリンタに設置し、各台紙表面に所要の物品仕様情報等を印刷しようとした場合、各ＩＣタグ封止体における一面の一部の膨出部分が重なりあって大きく膨らみ、個々のＩＣタグ封止体に対する文字等のプリント動作を円滑に実行できなくなるという不都合が生じていた。
【０００６】
特許文献１には、アンテナとなる配線基板と、この配線基板上に配置したＩＣチップとによりＩＣタグを構成し、ＩＣチップの上面にＩＣチップを臨ませる開口を有するフィルムを封着し、開口内に封止材を封入することでフィルム付ＩＣタグの上面を平坦化し、更に、フィルム付ＩＣタグを台紙の切り抜き部に入れ、台紙の上下面を同形状の封止紙により封着することで上下両面の平坦化を図ったＩＣタグ封入体が提案されている。
【０００７】
しかし、特許文献１の場合、アンテナとなる配線基板上にＩＣチップを配置したＩＣタグを使用するものであり、このため、ＩＣタグ封入体の総厚が大きくなってしまう、
【特許文献１】特開２００５−２３５１５０号公報
【考案の開示】
【考案が解決しようとする課題】
【０００８】
本考案が解決しようとする問題点は、ＩＣタグを内蔵するとともに、外部に表出する両面である印刷面が平坦で多数重ね合わせた状態でプリンタにセットしても何等支障なく印刷面に対する所要の文字等を次々と印刷でき、しかも、総厚も小さく取り扱い性に優れた印刷面付平坦タグが存在しない点である。
【課題を解決するための手段】
【０００９】
本考案に係る印刷面付平坦タグは、一面を文字印刷用の印刷面とし、他面にＩＣタグ用の収納凹部及び貼り付け面を具備する２枚接合構造の基材と、ＩＣチップの突出部用の埋没穴を穿設した前記収納凹部より僅かに小さい外形寸法のタグ用基材と、フィルム状アンテナ及び突出部付のＩＣチップを有するＩＣタグ素子とを具備し、ＩＣチップの突出部を前記タグ用基材の埋没穴に埋没させる状態でＩＣタグ素子をタグ用基材に貼り付けて全体の厚さを基材の収納凹部の深さと同等とするとともに、前記収納凹部に貼り付けられてこの基材の他面全体を平坦化させるＩＣタグと、ＩＣタグを貼り付けた基材の他面全体に貼り付けた印刷面付の被覆基材と、を有することを最も主要な特徴とする。
【考案の効果】
【００１０】
請求項１、２記載の考案によれば、平坦な一面印刷面であり、かつ、収納凹部へＩＣタグを収納することでＩＣタグの損傷保護を図ることができるＩＣタグ保護用の基材を提供できる。
【００１１】
請求項３、４記載の考案によれば、上述した構成の基材と、ＩＣタグと、被覆基材とによって、本考案の印刷面付平坦タグの組み立てに必要な組み立て部品とすることができる。
【００１２】
請求項５、６記載の考案によれば、完成品直前のいわば予備完成品とも言うべき両面が平坦な印刷面付平坦タグを提供することができる。
【００１３】
請求項７、８記載の考案によれば、ＩＣタグを内蔵するとともに、外部に表出する両面が何等膨らみの無い平坦な印刷面であり、総厚が小さく取り扱い性に優れ、所要の文字情報を印刷面に何等支障なく印刷することが可能な印刷面付平坦タグを提供することができる。
【考案を実施するための最良の形態】
【００１４】
本考案は、ＩＣタグを内蔵するとともに、外部に表出する両面である印刷面が平坦で多数重ね合わせた状態でプリンタにセットしても何等支障なく印刷面に対する所要の文字等を次々と印刷でき、しかも、総厚も小さく取り扱い性に優れた印刷面付平坦タグを提供するという目的を有するものである。
【００１５】
本考案は、一面を文字印刷用の印刷面とし、他面にＩＣタグ用の矩形状の収納凹部及びこの収納凹部の周りの貼り付け面を具備する矩形状板状素材の２枚接合構造からなる基材と、ＩＣチップの突出部用の埋没穴を穿設した前記収納凹部より僅かに小さい外形寸法の矩形状のタグ用基材と、フィルム状アンテナ及び突出部付のＩＣチップを有する矩形状のＩＣタグ素子とを具備し、ＩＣチップの突出部を前記タグ用基材の埋没穴に埋没させる状態でＩＣタグ素子をタグ用基材に貼り付けて全体の厚さを基材の収納凹部の深さと同等とするとともに、前記収納凹部に貼り付けられてこの基材の他面全体を平坦化させるＩＣタグと、前記基材の他面全体に貼り付けた印刷面付の矩形状の被覆基材と、を有する印刷面付平坦タグとすることにより上記目的を実現した。
【実施例】
【００１６】
以下に、本考案の実施例に係るＩＣタグ保護用の基材、印刷面付平坦タグ用の組み立て部品、印刷面付平坦タグについて、その製造工程を主とし、かつ、図面を参照して詳細に説明する。
【００１７】
本実施例に係る印刷面付平坦タグ１の製造に際しては、まず、図１、図２に示すＩＣタグ保護用の基材２を形成する。
【００１８】
すなわち、ＩＣタグ保護用の基材２は、平坦な一面３ａ（図１において裏面）を文字印刷用の印刷面とした第１の矩形状板状素材３と、ＩＣタグ用の矩形穴４ｂ及びこの矩形穴４ｂの周りに貼り付け面４ｃを有する前記第１の矩形状板状素材３と同寸法の第２の矩形状板状素材４とを接着等により接合し、図２に示すように他面４ａに後述するＩＣタグ１１用の矩形状の収納凹部５及び貼り付け面４ｃを有する２枚接合構造としている。
【００１９】
次に、図３に示すように、前記基材２の収納凹部５より僅かに小さい外形寸法の矩形状のタグ用基材６を用意し、このタグ用基材６に後述するＩＣチップ７の小寸法の突出部７ａ用の埋没穴６ａを穿設する。
【００２０】
また、図３、図４に示すように、左右一対のフィルム状アンテナ８及び突出部７ａ付のＩＣチップ７を有する全体として略偏平矩形状のＩＣタグ素子９を用意し、このＩＣタグ素子９における前記突出部７ａを前記タグ用基材６の埋没穴６ａに埋没させる状態でこのＩＣタグ素子９をタグ用基材６に貼り付け、全体の厚さ（タグ用基材６とＩＣタグ素子９とを重ねた厚さ）を前記基材２の収納凹部５の深さと同等した図５、図６に示す矩形状のＩＣタグ１１を形成する。
【００２１】
次に、上述のようにして形成したＩＣタグ１１を、図６、図７に示すように、前記基材２の収納凹部５内に貼り付け、ＩＣタグ１１を基材２と一体化することで、基材２の他面４ａ全体を図８に示すように平坦化させる。基材２の一面３ａも勿論平坦である。
【００２２】
次に、図９に示すように、前記基材２の外形寸法と同一の外形寸法に形成した一面１０ａに印刷面を有する矩形状の被覆基材１０を用意し、この被覆基材１０を、図１０、図１１に示すように、前記ＩＣタグ１１が貼り付け済である基材２の他面４ａ側に貼り付けて、本実施例に係る印刷面付平坦タグ１とする。
【００２３】
上述した一連の工程によって、ＩＣタグ１１を内蔵するとともに、外部に表出する両面、すなわち、前記基材２の一面３ａ及び被覆基材１０の一面１０ａをともに平坦な印刷面とし、かつ、総厚が小さく取り扱い性に優れ、両面である印刷面が平坦で多数重ね合わせた状態でプリンタにセットしても従来例のような部分的な膨らみが生じることはなく、これにより何等支障なく各印刷面に対する所要の文字等を次々と印刷することが可能な図１０に示す印刷面付平坦タグ１を得ることができる。
【００２４】
また、本実施例における図２に示す基材２によれば、平坦な一面３ａが印刷面であるとともに、その他面側にＩＣタグ１１用の矩形状の収納凹部５を備えることから、一面３ａに対する所要の文字等が印刷可能であり、かつ、収納凹部５へＩＣタグ１１を収納することでＩＣタグ１１を損傷から保護することとができ、しかも、他面４ａ側の平坦化をも図ることができる。
【００２５】
更に、図２に示す基材２と、図５に示すＩＣタグ１１と、図９に示す被覆基材１０とによって、本実施例の印刷面付平坦タグ１の組み立てに必要な組み立て部品を構成することができる。
【００２６】
また、図７に示すＩＣタグ１１が貼り付け済である基材２によって、完成品直前のいわば予備完成品とも言うべき両面が平坦な印刷面付平坦タグを構成することができる。
【００２７】
なお、上述した実施例では、印刷面付平坦タグ１を単品で製造する場合について説明したが、大寸法の素材を用意し、前記第１の矩形状板状素材３、第２の矩形状板状素材４に相当する部材を縦横配置に列設状態に複数同時に形成して貼り合わせ、これらを素材から切り離すというような大量生産の手法を採用することも勿論可能である。
【産業上の利用可能性】
【００２８】
本考案の印刷面付平坦タグは、前記前記基材２の一面３ａ又は被覆基材１０の一面１０ａに物品の取り扱い情報等からなる物品情報等を印刷し、この印刷面付平坦タグ１を例えば物流ターミナルにおけるコンベア上を搬送される多数の物品へ付けて前記ＩＣタグ１１に予め記憶した記憶情報を読み取りセンサで読み取ったり、前記印刷情報を作業者が目視で読み取ったりして物品の配送仕分けを行う等の用途に広範に適用可能である。
【図面の簡単な説明】
【００２９】
【図１】本考案の実施例に係るＩＣタグ保護用の基材の分解斜視図である。
【図２】本考案の実施例に係るＩＣタグ保護用の基材の斜視図である。
【図３】本考案の実施例に係るＩＣタグの製造工程を示す断面図である。
【図４】本考案の実施例に係るＩＣタグの正面図である。
【図５】本考案の実施例に係るＩＣタグの断面図である。
【図６】本考案の実施例に係るＩＣタグ保護用の基材に対するＩＣタグの貼り合わせ工程を示す説明図である。
【図７】本考案の実施例に係るＩＣタグ保護用の基材にＩＣタグを貼り合わせた状態を示す正面図である。
【図８】本考案の実施例に係るＩＣタグ保護用の基材にＩＣタグを貼り合わせた状態を示す平面図である。
【図９】本考案の実施例に係る被覆基材を示す正面図である。
【図１０】本考案の実施例に係る印刷面付平坦タグの正面図である。
【図１１】本考案の実施例に係る印刷面付平坦タグの平面図である。
【符号の説明】
【００３０】
１    印刷面付平坦タグ
２    基材
３    第１の矩形状板状素材
３ａ  一面
４    第２の矩形状板状素材
４ａ  他面
４ｂ  矩形穴
４ｃ  貼り付け面
５    収納凹部
６    タグ用基材
６ａ  埋没穴
７    ＩＣチップ
７ａ  突出部
８    フィルム状アンテナ
９    ＩＣタグ素子
１０    被覆基材
１０ａ  一面
１１    ＩＣタグ
【図１】
0003139231.tif 000003
【図２】
0003139231.tif 000004
【図３】
0003139231.tif 000005
【図４】
0003139231.tif 000006
【図５】
0003139231.tif 000007
【図６】
0003139231.tif 000008
【図７】
0003139231.tif 000009
【図８】
0003139231.tif 000010
【図９】
0003139231.tif 000011
【図１０】
0003139231.tif 000012
【図１１】
0003139231.tif 000013